(57)【特許請求の範囲】
【請求項１】
自己分散型顔料、水、水溶性有機溶剤およびアセチレングリコール系界面活性剤を含むインクジェット記録用インクであって、
前記自己分散型顔料の固形分配合量が、前記インク全量に対し３．５〜４．５重量％であり、
前記水溶性有機溶剤が、グリセリンおよびジプロピレングリコールプロピルエーテルを含み、かつ前記グリセリンの配合量が、前記インク全量に対し１５〜２５重量％であり、前記ジプロピレングリコールプロピルエーテルの配合量が、前記インク全量に対し２．０〜３．０重量％であり、
前記アセチレングリコール系界面活性剤の配合量が、前記インク全量に対し０．１〜０．３重量％であることを特徴とするインクジェット記録用インク。
【請求項２】
前記アセチレングリコール系界面活性剤が、下記一般式（１）で表される界面活性剤である請求項１記載のインクジェット記録用インク。
【化１】
0005266752.tif 000004
前記一般式（１）において、ｍおよびｎは同一でも異なっていてもよく、ｍ＋ｎ＝１〜１５を満たす数であり、
Ｒ１、Ｒ２、Ｒ３およびＲ４は、それぞれ同一でも異なっていてもよく、炭素原子数１〜５の直鎖状または分岐鎖状アルキル基である。
【請求項３】
黒インクとして用いられる請求項１または２記載のインクジェット記録用インク。
【請求項４】
前記ジプロピレングリコールプロピルエーテルの配合量が、前記インク全量に対し２．２〜３．０重量％である請求項１〜３のいずれか一項に記載のインクジェット記録用インク。
【請求項５】
インクジェット記録用インクを含むインクカートリッジであって、前記インクが、請求項１〜４のいずれか一項に記載のインクジェット記録用インクであることを特徴とするインクカートリッジ。
【請求項６】
インクカートリッジおよびインク吐出手段を含み、インクジェット記録用インクが前記インク吐出手段から吐出されるインクジェット記録装置であって、前記インクカートリッジが、請求項５記載のインクカートリッジであることを特徴とするインクジェット記録装置。
【請求項７】
さらに、ゴム部材を含み、
前記ゴム部材が、エチレンプロピレンゴムを含む請求項６記載のインクジェット記録装置。
【発明の詳細な説明】
【技術分野】
【０００１】
本発明は、インクジェット記録用インク、インクカートリッジおよびインクジェット記録装置に関する。
【背景技術】
【０００２】
従来から、着色剤、水、湿潤剤・浸透剤等の水溶性有機溶剤および界面活性剤を含むインクジェット記録用インクが汎用されている。前記着色剤としては、彩度の高さ、種類の豊富さ、水への溶解性に優れる点等から水溶性染料が数多く使用されている。しかしながら、前記水溶性染料を含むインクは、それを用いた記録物の耐光性および耐水性が充分ではない。この問題は、前記着色剤として、顔料を用いることで解決できる。すなわち、顔料を含むインクは、それを用いた記録物の耐光性および耐水性に優れる。また、前記インクにおいて、前記浸透剤の配合量を増やすと、印字品質が良好となる。しかし、前記浸透剤の増量は、前記インクの蒸発特性を悪化させ、インクジェット記録装置を形成する材料に由来する化合物を前記インク中へ溶出させる。前記インクジェット記録装置を形成する材料としては、例えば、ゴム部材およびゴム材料以外の有機材料部材があげられる。前記ゴム部材は、例えば、ワイパおよびキャップがあげられる。前記ワイパは、例えば、インクジェットヘッドのノズル面を払拭するものである。前記キャップは、例えば、前記ノズル面と外界とを遮断するものである。前記ゴム部材等に由来する化合物が前記インク中へ溶出すると、前記インク中に前記化合物が析出する場合がある。前記化合物が析出すると、例えば、前記インクジェットヘッドのノズルが目詰まりするおそれがある。また、前記インクにおいて、前記顔料の固形分配合量を増やすと、印字品質が良好となる。しかし、前記顔料固形分の増量は、前記浸透剤の増量と同様に、前記インクの蒸発特性を悪化させ、インクジェット記録装置内のゴム部材等に由来する化合物をインク中へ溶出させる。そして、前記インクの噴射安定性は、前記湿潤剤、前記浸透剤および前記界面活性剤の量に影響を受け、場合によっては悪化するおそれもある。
【０００３】
前記蒸発特性および噴射安定性の問題の解決のために、粘度を調整することで、流動特性を制御したインクが提案されている（特許文献１）。しかしながら、このインクでは、前記ゴム部材等のインク中への溶出の問題の解決には至っていない。
【０００４】
【特許文献１】特開２００２−３８０６１号公報
【発明の開示】
【発明が解決しようとする課題】
【０００５】
そこで、本発明は、印字品質、蒸発特性および噴射安定性に優れ、且つ、インクジェット記録装置内のゴム部材等に由来する化合物のインク中への溶出が防止されたインクジェット記録用インクを提供することを目的とする。
【課題を解決するための手段】
【０００６】
前記目的を達成するために、本発明のインクジェット記録用インクは、
自己分散型顔料、水、水溶性有機溶剤およびアセチレングリコール系界面活性剤を含むインクジェット記録用インクであって、
前記自己分散型顔料の固形分配合量が、前記インク全量に対し３．５〜４．５重量％であり、
前記水溶性有機溶剤が、グリセリンおよびジプロピレングリコールプロピルエーテルを含み、かつ前記グリセリンの配合量が、前記インク全量に対し１５〜２５重量％であり、前記ジプロピレングリコールプロピルエーテルの配合量が、前記インク全量に対し２．０〜３．０重量％であり、
前記アセチレングリコール系界面活性剤の配合量が、前記インク全量に対し０．１〜０．３重量％であることを特徴とする。
【発明の効果】
【０００７】
前記目的を達成するために、本発明者等は、一連の研究を重ねたところ、自己分散型顔料、グリセリン、ジプロピレングリコールプロピルエーテルおよびアセチレングリコール系界面活性剤を、前記所定の割合で含むようにすれば、印字品質、蒸発特性および噴射安定性に優れ、且つ、インクジェット記録装置内のゴム部材等に由来する化合物のインク中への溶出も防止されることを見出し、本発明に至った。このような性能の向上は、本発明者等が初めて見出したものである。
【発明を実施するための最良の形態】
【０００８】
本発明のインクジェット記録用インクにおいて、前記アセチレングリコール系界面活性剤は、下記一般式（１）で表されるアセチレングリコール系界面活性剤であることが好ましい。
【化１】
0005266752.tif 000002
前記一般式（１）において、ｍおよびｎは同一でも異なっていてもよく、ｍ＋ｎ＝１〜１５を満たす数であり、
Ｒ１、Ｒ２、Ｒ３およびＲ４は、それぞれ同一でも異なっていてもよく、炭素原子数１〜５の直鎖状または分岐鎖状アルキル基である。
【０００９】
本発明のインクジェット記録用インクの用途は、特に限定されず、例えば、黒インクとして用いることができる。
【００１０】
本発明のインクカートリッジは、インクジェット記録用インクを含むインクカートリッジであって、前記インクが、本発明の前記インクジェット記録用インクであることを特徴とする。
【００１１】
本発明のインクジェット記録装置は、インクカートリッジおよびインク吐出手段を含み、インクジェット記録用インクが前記インク吐出手段から吐出されるインクジェット記録装置であって、前記インクカートリッジが、本発明の前記インクカートリッジであることを特徴とする。
【００１２】
つぎに、本発明のインクジェット記録用インクについて詳細に説明する。本発明のインクジェット記録用インクは、自己分散型顔料、水、水溶性有機溶剤およびアセチレングリコール系界面活性剤を含む。
【００１３】
前記自己分散型顔料は、例えば、顔料粒子の表面にカルボキシル基、カルボニル基、ヒドロキシル基、スルホン基等の親水性官能基およびその塩の少なくとも一方が、直接または多価の基を介して化学結合により導入されていることによって、分散剤なしでも水に分散可能なものである。
【００１４】
前記自己分散型顔料は、限定されず、例えば、特開平８−３４９８号公報、特表２０００−５１３３９６号公報等に記載の方法によって表面処理された自己分散型顔料を用いることができる。前記自己分散型顔料は、例えば、市販品を用いてもよい。前記市販品としては、例えば、キャボット・スペシャルティ・ケミカルズ社製の商品名「ＣＡＢ−Ｏ−ＪＥＴ（登録商標）２００、２５０、２６０、３００および７００」、オリエント化学工業（株）製の商品名「ＢＯＮＪＥＴ（登録商標）ＢＬＡＣＫ  ＣＷ−１、ＣＷ−２およびＣＷ−３」、東洋インキ製造（株）製の商品名「ＬＩＯＪＥＴ（登録商標）ＷＤ  ＢＬＡＣＫ  ００２Ｃ」等があげられる。前記自己分散型顔料は、１種類を単独で用いてもよく、２種類以上を併用してもよい。
【００１５】
前記自己分散型顔料に用いることができる顔料は、限定されず、無機顔料および有機顔料のいずれも使用することができる。また、前記表面処理を行うのに適した顔料としては、例えば、三菱化学（株）製の商品名「ＭＡ８および１００」、デグサ社製の商品名「カラーブラックＦＷ２００」等のカーボンブラック等があげられる。
【００１６】
前述のとおり、前記自己分散型顔料の固形分配合量は、前記インク全量に対し、３．５〜４．５重量％である。前記固形分配合量を前記範囲とすることで、印字品質および蒸発特性に優れたインクを得ることができる。前記固形分配合量は、前記範囲内において多く含有する方が、印字濃度が濃くなるため好ましい。
【００１７】
本発明のインクジェット記録用インクは、本発明の効果を損なわない範囲で、前記自己分散型顔料以外の着色剤を含んでもよい。前記着色剤としては、染料および自己分散型顔料以外の顔料等があげられる。
【００１８】
前記水は、イオン交換水または純水であることが好ましい。前記インク全量に対する前記水の配合量は、所望のインク特性等に応じて適宜決定される。前記水の配合量は、例えば、他の成分の残部としてもよい。
【００１９】
前記水溶性有機溶剤は、例えば、インクジェットヘッドの先端部におけるインクの乾燥を防止する湿潤剤および記録紙面上での乾燥速度を調整する浸透剤に分類される。
【００２０】
本発明のインクジェット記録用インクは、前記湿潤剤として、グリセリンを含む。前述のとおり、前記グリセリンの配合量は、前記インク全量に対し、１５〜２５重量％である。
【００２１】
前記湿潤剤は、前記グリセリンのみで構成されていてもよいし、本発明の効果を損なわない範囲で、さらに他の湿潤剤を含んでもよい。
【００２２】
前記グリセリン以外の湿潤剤は、限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール、アルキレングリコール等の多価アルコール；２−ピロリドン；Ｎ−メチル−２−ピロリドン；１，３−ジメチル−２−イミダゾリジノン等があげられる。前記ポリアルキレングリコールは、限定されず、例えば、ポリエチレングリコール、ポリプロピレングリコール等があげられる。前記アルキレングリコールは、限定されず、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの中でも、アルキレングリコール等の多価アルコールが好適である。前記グリセリン以外の湿潤剤は、１種類だけ用いてもよいし、２種類以上用いてもよい。
【００２３】
本発明のインクジェット記録用インクは、前記浸透剤として、ジプロピレングリコールプロピルエーテル（ＤＰＰ）を含む。前述のとおり、前記ＤＰＰの配合量は、前記インク全量に対し、２．０〜３．０重量％である。
【００２４】
前記浸透剤は、前記ＤＰＰのみで構成されていてもよいし、本発明の効果を損なわない範囲で、さらに他の浸透剤を含んでもよい。
【００２５】
前記ＤＰＰ以外の浸透剤は、限定されず、例えば、エチレングリコールメチルエーテル、エチレングリコールエチルエーテル、エチレングリコールプロピルエーテル、ジエチレングリコールメチルエーテル、ジエチレングリコールエチルエーテル、ジエチレングリコールプロピルエーテル、ジエチレングリコールブチルエーテル、トリエチレングリコールメチルエーテル、トリエチレングリコールエチルエーテル、トリエチレングリコールプロピルエーテル、トリエチレングリコールブチルエーテル、プロピレングリコールメチルエーテル、プロピレングリコールエチルエーテル、プロピレングリコールプロピルエーテル、プロピレングリコールブチルエーテル、ジプロピレングリコールメチルエーテル、ジプロピレングリコールエチルエーテル、ジプロピレングリコールブチルエーテル、トリプロピレングリコールメチルエーテル、トリプロピレングリコールエチルエーテル、トリプロピレングリコールプロピルエーテル、トリプロピレングリコールブチルエーテル等があげられる。前記ＤＰＰ以外の浸透剤は、１種類だけ用いてもよいし、２種類以上用いてもよい。
【００２６】
前記アセチレングリコール系界面活性剤は、限定されないが、前述のとおり、前記一般式（１）で表されるアセチレングリコール系界面活性剤であることが好ましい。前記一般式（１）において、前記ｍおよびｎは、同一でも異なっていてもよく、ｍ＋ｎ＝１〜１５を満たす数であり、好ましくは、ｍ＋ｎ＝３〜１１を満たす数である。Ｒ１、Ｒ２、Ｒ３およびＲ４は、それぞれ同一でも異なっていてもよく、炭素原子数１〜５の直鎖状または分岐鎖状アルキル基である。前記アルキル基は、例えば、メチル基、エチル基、プロピル基、イソプロピル基、ブチル基等を含む。
【００２７】
前記アセチレングリコール系界面活性剤は、例えば、市販品を用いてもよい。前記市販品としては、例えば、日信化学工業（株）製のオルフィン（登録商標）Ｅ１０１０、オルフィン（登録商標）Ｅ１００４、サーフィノール（登録商標）４４０およびサーフィノール（登録商標）４６５；川研ファインケミカル（株）製のアセチレノール（登録商標）Ｅ４０およびアセチレノール（登録商標）Ｅ１００等があげられる。
【００２８】
前述のとおり、前記アセチレングリコール系界面活性剤の配合量は、前記インク全量に対し、０．１〜０．３重量％である。前記界面活性剤の配合量を前記範囲とすることで、噴射安定性に優れたインクを得ることができる。
【００２９】
本発明のインクジェット記録用インクは、本発明の効果を損なわない範囲で、前記アセチレングリコール系界面活性剤以外の界面活性剤を含んでもよい。前記アセチレングリコール系界面活性剤以外の界面活性剤は、限定されず、例えば、花王（株）製のアニオン界面活性剤「ＥＭＡＬ（登録商標）」シリーズ、「ＬＡＴＥＭＵＬ（登録商標）」シリーズ、「ＶＥＮＯＬ（登録商標）」シリーズ、「ＮＥＯＰＥＬＥＸ（登録商標）」シリーズ、ＮＳ  ＳＯＡＰ、ＫＳ  ＳＯＡＰ、ＯＳ  ＳＯＡＰ、「ＰＥＬＥＸ（登録商標）」シリーズ等；ライオン（株）製のアニオン界面活性剤「ＬＩＰＯＬＡＮ（登録商標）」シリーズ、「ＬＩＰＯＮ（登録商標）」シリーズ、「ＳＵＮＮＯＬ（登録商標）」シリーズ、「ＬＩＰＯＴＡＣ（登録商標）」シリーズ、「ＥＮＡＧＩＣＯＬ（登録商標）」シリーズ、「ＬＩＰＡＬ（登録商標）」シリーズ、「ＬＯＴＡＴ（登録商標）」シリーズ等；花王（株）製のノニオン界面活性剤「ＥＭＵＬＧＥＮ（登録商標）」シリーズ、「ＲＨＥＯＤＯＬ（登録商標）」シリーズ、「ＥＭＡＳＯＬ（登録商標）」シリーズ、「ＥＸＣＥＬ（登録商標）」シリーズ、「ＥＭＡＮＯＮ（登録商標）」シリーズ、「ＡＭＩＥＴ（登録商標）」シリーズ、「ＡＭＩＮＯＮ（登録商標）」シリーズ等；ライオン（株）製のノニオン界面活性剤「ＤＯＢＡＮＯＸ（登録商標）」シリーズ、「ＬＥＯＣＯＬ（登録商標）」シリーズ、「ＬＥＯＸ（登録商標）」シリーズ、「ＬＡＯＬ（登録商標）」シリーズ、「ＬＥＯＣＯＮ（登録商標）」シリーズ、「ＬＩＯＮＯＬ（登録商標）」シリーズ、「ＣＡＤＥＮＡＸ（登録商標）」シリーズ、「ＬＩＯＮＯＮ（登録商標）」シリーズ、「ＬＥＯＦＡＴ（登録商標）」シリーズ等があげられる。前記アセチレングリコール系界面活性剤以外の界面活性剤は、１種類だけ用いてもよいし、２種類以上用いてもよい。
【００３０】
前記インクは、必要に応じて、さらに、従来公知の添加剤を含んでもよい。前記添加剤としては、例えば、粘度調整剤、表面張力調整剤、防黴剤等があげられる。前記粘度調整剤は、限定されず、例えば、ポリビニルアルコール、セルロース、水溶性樹脂等があげられる。
【００３１】
前記インクは、例えば、自己分散型顔料、水、水溶性有機溶剤およびアセチレングリコール系界面活性剤と、必要に応じて他の添加成分とを、従来公知の方法で均一に混合し、フィルターで不溶解物を除去することにより調製できる。
【００３２】
本発明のインクカートリッジは、本発明の前記インクジェット記録用インクを含むインクカートリッジである。本発明のインクカートリッジの本体としては、例えば、従来公知のものを使用できる。
【００３３】
つぎに、本発明のインクジェット記録装置について説明する。本発明のインクジェット記録装置には、本発明の前記インクカートリッジを含む。これを除き、本発明のインクジェット記録装置の構成は、例えば、従来公知のインクジェット記録装置と同様であってもよい。
【００３４】
図１に、本発明のインクジェット記録装置の一例の構成を示す。図示のとおり、このインクジェット記録装置１は、４つのインクカートリッジ２と、インクジェットヘッド３と、ヘッドユニット４と、キャリッジ５と、駆動ユニット６と、プラテンローラ７と、パージ装置８とを主要な構成部材として含む。
【００３５】
前記４つのインクカートリッジ２は、イエロー、マゼンタ、シアンおよびブラックの４色のインクを、それぞれ１色ずつ含む。例えば、前記ブラックインクが、前記本発明のインクである。前記インクジェットヘッド３は、記録紙等の被記録材Ｐに印字を行う。前記ヘッドユニット４は、前記インクジェットヘッド３を備えている。前記キャリッジ５には、前記４つのインクカートリッジ２および前記ヘッドユニット４が搭載される。前記駆動ユニット６は、前記キャリッジ５を直線方向に往復移動させる。前記プラテンローラ７は、前記キャリッジ５の往復方向に延び、前記インクジェットヘッド３と対向して配置されている。
【００３６】
前記駆動ユニット６は、キャリッジ軸９と、ガイド板１０と、２つのプーリ１１および１２と、エンドレスベルト１３とを含む。前記キャリッジ軸９は、前記キャリッジ５の下端部に配置され、前記プラテンローラ７と平行に延びている。前記ガイド板１０は、前記キャリッジ部５の上端部に配置され、前記キャリッジ軸９と平行に延びている。前記２つのプーリ１１および１２は、前記キャリッジ軸９と前記ガイド板１０との間であって、前記キャリッジ軸９の両端部に配置されている。前記エンドレスベルト１３は、前記２つのプーリ１１および１２の間に掛け渡されている。
【００３７】
このインクジェット記録装置１において、前記プーリ１１がキャリッジモータ１０１の駆動により正逆回転されると、前記プーリ１１の正逆回転に伴って、前記エンドレスベルト１３に接合されている前記キャリッジ５が、前記キャリッジ軸９および前記ガイド板１０に沿って、直線方向に往復移動する。
【００３８】
前記被記録材Ｐは、このインクジェット記録装置１の側方又は下方に設けられた給紙カセット（図示せず）から給紙される。前記被記録材Ｐは、前記インクジェットヘッド３と、前記プラテンローラ７との間に導入される。すると、前記被記録材Ｐに、前記インクジェットヘッド３から吐出されるインクにより所定の印字がなされる。前記被記録材Ｐは、その後、前記インクジェット記録装置１から排紙される。図１においては、前記被記録材Ｐの給紙機構及び排紙機構の図示を省略している。
【００３９】
前記パージ装置８は、前記プラテンローラ７の側方に設けられ、前記ヘッドユニット４がリセット位置（この例においては、前記パージ装置８の上部）にある時に、前記インクジェットヘッド３と対向するように配置されている。前記パージ装置８は、パージキャップ１４と、ポンプ１５およびカム１６と、インク貯留部１７とを含む。前記パージキャップ１４は、前記ヘッドユニット４が前記リセット位置にある時に、前記インクジェットヘッド３の複数のノズル（図示せず）を覆う。前記ポンプ１５は、前記カム１６の駆動により前記インクジェットヘッド３の内部に溜まる気泡等を含んだ不良インクを吸引する。これにより、前記インクジェットヘッドの回復が図られる。前記吸引された不良インクは、前記インク貯留部１７に貯められる。
【００４０】
前記パージ装置８の前記プラテンローラ７側の位置には、前記パージ装置８に隣接してワイパ部材２０が配設されている。前記ワイパ部材２０は、へら状に形成されており、前記キャリッジ５の移動に伴って、前記インクジェットヘッド３のノズル形成面を拭うものである。図１において、キャップ１８は、インクの乾燥を防止するため、印字が終了すると前記リセット位置に戻される前記インクジェットヘッド３の複数のノズルを覆うものである。
【００４１】
この例のインクジェット記録装置１においては、前記４つのインクカートリッジ２は、１個のキャリッジ５に搭載されている。ただし、本発明は、これに限定されない。本発明のインクジェット記録装置において、前記４つのインクカートリッジは、複数のキャリッジに搭載されていてもよい。また、前記インクカートリッジは、前記キャリッジには搭載されず、インクジェット記録装置内に配置、固定されていてもよい。この態様においては、例えば、前記インクカートリッジと、前記キャリッジに搭載された前記ヘッドユニットとが、チューブ等により連結され、前記チューブ等により、前記インクカートリッジから前記ヘッドユニットに前記インクが供給される。
【実施例】
【００４２】
つぎに、本発明の実施例について比較例と併せて説明する。なお、本発明は、下記の実施例および比較例によってなんら限定ないし制限されない。
【００４３】
［実施例１〜３および比較例１〜１４］
インク組成成分（下記表１）を、均一に混合した。その後、前記混合物を、東洋濾紙（株）製のセルロースアセテートタイプメンブレンフィルタ（孔径３．０μｍ）でろ過することで、実施例１〜３および比較例１〜１４のインクジェット記録用インクを得た。
【００４４】
各実施例および各比較例のインクについて、（ａ）印字品質評価（ＯＤ値）、（ｂ）印字品質評価（ブリーディング）、（ｃ）蒸発特性評価、（ｄ）ゴム析出性評価、（ｅ）噴射安定性評価および（ｆ）総合評価を、下記の方法により行った。
【００４５】
（ａ）印字品質評価（ＯＤ値）
ブラザー工業（株）製のインクジェットプリンタ搭載デジタル複合機ＤＣＰ−３３０Ｃを使用し、ブラザー工業（株）製の上質普通紙ＢＰ６０ＰＡ上に解像度６００ｄｐｉ×６００ｄｐｉで、被覆率１００％のベタ印字を行い評価サンプルを作製した。前記評価サンプルの光学濃度（ＯＤ）値を、Ｇｒｅｔａｇ  Ｍａｃｂｅｔｈ社製の分光測色計Ｓｐｅｃｔｒｏｌｉｎｏ（光源：Ｄ５０、視野：２°、フィルター：Ｓｔａｔｕｓ  Ｔ）により測定し、下記の評価基準に従って評価した。なお、前記ＯＤ値が大きいほど、印字品質に優れていたことになる。
【００４６】
印字品質評価（ＯＤ値）基準
Ｇ  ：ＯＤ値が、１．３５以上
ＮＧ：ＯＤ値が、１．３５未満
【００４７】
（ｂ）印字品質評価（ブリーディング）
ブラザー工業（株）製のインクジェットプリンタ搭載デジタル複合機ＤＣＰ−３３０Ｃを使用し、ブラザー工業（株）製の上質普通紙ＢＰ６０ＰＡ上に、背景にブラザー工業（株）製のインクカートリッジＬＣ１０Ｙに充填されたイエローインク、ラインに各実施例および各比較例のインクを用いて評価サンプルの印画を行った。前記イエローインクと各実施例および各比較例のインクとの境界部のＲａｇを、ＩＳＯ１３６６０に準ずる方法により測定した。ここで、Ｒａｇとは、ＩＳＯ１３６６０で定義されたラインのラジェットネスであり、ラジェットなラインとは、本来スムーズで真っ直ぐなはずの理想のラインエッジに対して波打っている状態を示す。得られたＲａｇから、下記の評価基準に従って評価した。
【００４８】
印字品質評価（ブリーディング）基準
Ｇ  ：ラインのＲａｇが、１８未満
ＮＧ：ラインのＲａｇが、１８以上
【００４９】
（ｃ）蒸発特性評価
インク５ｇを、開放瓶（口径：２０．２ｍｍ）に注入した。その開放瓶を、温度６０℃、相対湿度４０％の恒温槽中に３日間保存した。前記保存後、開放瓶内のインクの状態を目視で観察し、下記の評価基準に従って評価した。
【００５０】
蒸発特性評価基準
Ｇ  ：流動性あり（開放瓶を傾けたときにインクに動きがあった）
ＮＧ：流動性なし（開放瓶を傾けても、インクに動きがなかった）
【００５１】
（ｄ）ゴム析出性評価
インク１ｇあたりの接触面積が３０ｍｍ２となる条件で、前記インクにゴム片（エチレンプロピレンゴム（ＥＰＤＭ）；ゴム硬度（旧ＪＩＳ  Ｋ  ６３０１  Ａ型による測定）４０°）を浸漬させ、温度７０℃の環境下で１週間保存した。前記保存後、前記インクから前記ゴム片を取り出した後、前記インクを東洋濾紙（株）製のセルロースアセテートタイプメンブレンフィルター（孔径：０．８μｍ；直径：１５ｍｍ）でろ過し、ろ過に要する時間を計測した。コントロールとして、前記保存前のインクを、前述と同様の条件でろ過し、ろ過に要する時間を計測した。つぎに、下記式（Ｉ）によりろ過時間の増加率を求め、ゴム析出性を、下記の評価基準に従って評価した。
ろ過時間の増加率＝Ｙ／Ｘ      ・・・（Ｉ）
Ｘ：保存前のろ過時間
Ｙ：保存後のろ過時間
【００５２】
ゴム析出性評価基準
Ｇ  ：ろ過時間の増加率が、１．３倍未満
ＮＧ：ろ過時間の増加率が、１．３倍以上
【００５３】
（ｅ）噴射安定性評価
ブラザー工業（株）製のインクジェットプリンタ搭載デジタル複合機ＤＣＰ−３３０Ｃを使用し、ブラザー工業（株）製の上質普通紙ＢＰ６０ＰＡ上に、解像度６００ｄｐｉ×６００ｄｐｉで、被覆率１００％のベタ印字を行い、２０枚の評価サンプルを作製した。前記評価サンプルにおける印字不良（不吐出および噴射乱れ）の有無を目視にて観察した。
【００５４】
噴射安定性評価基準
Ｇ  ：印字不良が見られない
ＮＧ：印字不良が見られた
【００５５】
（ｆ）総合評価
各インクについて、前記（ａ）〜（ｅ）の結果から、下記の評価基準に従って総合評価を行った。
【００５６】
総合評価基準
Ｇ  ：すべての評価結果がＧであった。
ＮＧ：評価結果のいずれかにＮＧがあった。
【００５７】
各実施例および各比較例のインクの組成および評価結果を、下記表１に示す。
【００５８】
【表１】
0005266752.tif 000003
【００５９】
前記表１に示すとおり、実施例１〜３のインクは、印字品質評価（ＯＤ値）、印字品質評価（ブリーディング）、蒸発特性評価、ゴム析出性評価および噴射安定性評価のすべての結果が、良好であった。一方、自己分散型顔料の固形分配合量が少ない比較例１のインクは、印字品質評価（ＯＤ値）が劣っていた。また、自己分散型顔料の固形分配合量の多い比較例２のインクは、蒸発特性評価が劣っていた。また、グリセリンの配合量の少ない比較例３のインクは、蒸発特性評価および噴射安定性評価が劣っていた。また、グリセリンの配合量の多い比較例４のインクは、噴射安定性評価が劣っていた。また、ＤＰＰの配合量の少ない比較例５のインクは、印字品質評価（ブリーディング）および噴射安定性評価が劣っていた。また、ＤＰＰの配合量の多い比較例６のインクは、ゴム析出性評価が劣っていた。また、アセチレングリコール系界面活性剤を含まない比較例７のインクは、印字品質評価（ブリーディング）および噴射安定性評価が劣っていた。また、アセチレングリコール系界面活性剤の配合量の多い比較例８のインクは、ゴム析出性評価および噴射安定性評価が劣っていた。また、ＤＰＰおよびアセチレングリコール系界面活性剤を含まない比較例９および１０のインクは、トリエチレングリコールブチルエーテルまたはジプロピレングリコールメチルエーテルが５．０重量％配合されていることで、適度な配合量のＤＰＰを含むインクと同等の印字品質評価（ブリーディング）が得られたが、トリエチレングリコールブチルエーテルまたはジプロピレングリコールメチルエーテルを含むことで、ゴム析出性評価が劣っていた。また、アセチレングリコール系界面活性剤（オルフィン（登録商標）Ｅ１０１０）の代わりにポリオキシエチレンラウリルエーテル（エマルゲン（登録商標）１０５）を配合した比較例１１のインクは、蒸発特性評価およびゴム析出性評価が劣っていた。同様に、アセチレングリコール系界面活性剤（オルフィン（登録商標）Ｅ１０１０）の代わりにポリオキシエチレンオレイルエーテル（エマルゲン（登録商標）４２０）を配合した比較例１２のインクは、印字品質評価（ブリーディング）が劣っていた。また、自己分散型顔料の固形分配合量が多く、グリセリンの配合量が少なく、ＤＰＰを含まず、且つ、アセチレングリコール系界面活性剤の配合量の多い比較例１３および１４のインクは、ＤＰＰの代わりに配合したトリエチレングリコールブチルエーテルまたはジエチレングリコールブチルによって、ゴム析出性評価が劣っていた。
【産業上の利用可能性】
【００６０】
以上のように、本発明のインクジェット記録用インクは、印字品質、蒸発特性および噴射安定性に優れ、且つ、インクジェット記録装置内のゴム部材等に由来する化合物のインク中への溶出が防止されたものである。本発明のインクジェット記録用インクの用途は、限定されず、各種のインクジェット記録に広く適用可能である。
【図面の簡単な説明】
【００６１】
【図１】図１は、本発明のインクジェット記録装置の構成の一例を示す概略斜視図である。
【符号の説明】
【００６２】
１          インクジェット記録装置
２          インクカートリッジ
３          インクジェットヘッド
４          ヘッドユニット
５          キャリッジ
６          駆動ユニット
７          プラテンローラ
８          パージ装置
９          キャリッジ軸
１０        ガイド板
【図１】
0005266752.tif 000005